(57)【特許請求の範囲】
【請求項１】
オーディオ信号で変調された電波を送信するとともに、受信装置から、受信した前記電波から復調した前記オーディオ信号にエラーが発生した旨を示すエラー通知を受信する通信部と、
前記エラー通知に基づいて、前記電波の送信出力を制御する制御部と、
を備えたオーディオトランスミッタであって、
前記制御部は、前記通信部に、所定の試行時間だけ前記送信出力を高出力から低出力に切り換える試行を行わせ、この試行に対して前記受信装置からエラー通知を受信しないとき、前記電波を継続的に低出力で送信するローパワーモードに前記通信部の動作を切り換えるオーディオトランスミッタ。
【請求項２】
前記制御部は、前記試行に対して前記受信装置からエラー通知を受信したとき、一定時間待機したのち、前記試行を再度実行する請求項１に記載のオーディオトランスミッタ。
【請求項３】
前記制御部は、前記通信部を前記ローパワーモードで動作させているときに、前記受信装置からエラー通知を受信したとき、前記送信出力を前記高出力に切り換えて一定時間待機したのち、前記試行を再度実行する請求項１または請求項２に記載のオーディオトランスミッタ。
【請求項４】
前記制御部は、前記一定時間の待機中に、前記受信装置からエラー通知を一定回数以上受信したとき、前記電波を継続的に高出力で送信するハイパワー固定モードに前記通信部の動作を切り換える請求項２または請求項３に記載のオーディオトランスミッタ。
【請求項５】
請求項１乃至請求項４のいずれかに記載のオーディオトランスミッタと、
前記オーディオ信号で変調された電波を受信してオーディオ信号を復調するとともに、復調した前記オーディオ信号にエラーが発生したとき、その旨を示すエラー通知を送信する受信装置と、
を有する無線オーディオシステム。
【発明の詳細な説明】
【技術分野】
【０００１】
この発明は、オーディオ信号を電波を用いて送信するオーディオトランスミッタおよび無線オーディオシステムに関する。
【背景技術】
【０００２】
オーディオ分野において、複数の機器間をケーブルで接続するのが煩雑である、または、ケーブルが視覚的に美しくないという理由で、電波でオーディオ信号を伝送することが実用化されている（たとえば特許文献１参照）。オーディオ信号の伝送等民生用機器で比較的自由に使用できる周波数帯は限られており、多くの機器が２．４ＧＨｚ帯を使用している。したがって、複数の電波が衝突して電波障害を来すことを防止するため、電波の送信出力は必要最小限にすることが望まれる。
【０００３】
通信エラーを生じない最小限の送信出力を決定するための情報として通信状態を知ることが必要であるが、通信状態を観測する回路装置の代表的なものにＲＳＳＩ（（Ｒｅｃｅｉｖｅｄ  Ｓｉｇｎａｌ  Ｓｔｒｅｎｇｔｈ  Ｉｎｄｉｃａｔｏｒ）がある（たとえば特許文献２参照）。ＲＳＳＩは、相手装置と通信している周波数の電波強度を測定する回路であり、ＲＳＳＩの値が大きいと相手装置と良好に通信ができていると判定される。
【先行技術文献】
【特許文献】
【０００４】
【特許文献１】特開２００６−０７４３７４号公報
【０００５】
【特許文献２】特開２００４−３５００１０号公報
【発明の概要】
【発明が解決しようとする課題】
【０００６】
しかしながら、ＲＳＳＩ回路は目的の電波信号のみに反応する測定回路ではなく、通信周波数に存在する全ての電波に反応する測定回路である。したがって、妨害波などがある場合は、この妨害波もＲＳＳＩの値に加算されてしまうため、強い妨害波が存在する悪い環境で却ってＲＳＳＩが高くなってしまうという場合があり、通信状態を誤認してしまう危険性があった。
【０００７】
特に、２．４ＧＨｚ帯は、携帯電話、ｗｉｆｉ、コードレスホン、電子レンジなど各種の通信機器、電気機器が使用しており、妨害電波が多く存在するため、上記のような通信状態の誤認が発生しやすかった。
【０００８】
この発明は、目的の信号であるオーディオ信号の通信エラーに基づいて通信状態を把握し、これに基づいて送信出力を制御することにより、的確な出力制御を可能にしたオーディオトランスミッタおよび無線オーディオシステムを提供することを目的とする。
【課題を解決するための手段】
【０００９】
請求項１の発明は、オーディオ信号で変調された電波を送信するとともに、受信装置から、受信した前記電波から復調した前記オーディオ信号にエラーが発生した旨を示すエラー通知を受信する通信部と、前記エラー通知に基づいて、前記電波の送信出力を制御する制御部と、を備えたオーディオトランスミッタであって、前記制御部は、前記通信部に、所定の試行時間だけ前記送信出力を高出力から低出力に切り換える試行を行わせ、この試行に対して前記受信装置からエラー通知を受信しないとき、前記電波を継続的に低出力で送信するローパワーモードに前記通信部の動作を切り換えることを特徴とする。
【００１０】
請求項２の発明は、請求項１の発明において、前記制御部は、前記試行に対して前記受信装置からエラー通知を受信したとき、一定時間待機したのち、前記試行を再度実行することを特徴とする。
【００１１】
請求項３の発明は、請求項１、２の発明において、前記制御部は、前記通信部を前記ローパワーモードで動作させているときに、前記受信装置からエラー通知を受信したとき、前記送信出力を前記高出力に切り換えて一定時間待機したのち、前記試行を再度実行することを特徴とする。
【００１２】
請求項４の発明は、請求項２、３の発明において、前記制御部は、前記一定時間の待機中に、前記受信装置からエラー通知を一定回数以上受信したとき、前記電波を継続的に高出力で送信するハイパワー固定モードに前記通信部の動作を切り換えることを特徴とする。
【００１３】
請求項５の発明は、請求項１〜４に記載のオーディオトランスミッタと、前記オーディオ信号で変調された電波を受信してオーディオ信号を復調するとともに、復調した前記オーディオ信号にエラーが発生したとき、その旨を示すエラー通知を送信する受信装置と、を有する無線オーディオシステムである。
【発明の効果】
【００１４】
この発明によれば、ユーザに知覚されない程度の短時間である試行時間だけオーディオ信号を低出力で送信して、エラー無く通信可能かを試行するため、妨害電波の有無にかかわらず正確な通信状態の把握が可能であり、ＲＳＳＩよりも確実な出力制御が可能になる。
【図面の簡単な説明】
【００１５】
【図１】この発明の実施形態である無線オーディオシステムの構成図
【図２】同無線オーディオシステムのトランスミッタの動作モードの遷移図
【図３】同無線オーディオシステムのレシーバの動作を示すフローチャート
【図４】トランスミッタの動作を示すフローチャート
【図５】トランスミッタの動作を示すフローチャート
【発明を実施するための形態】
【００１６】
図１はこの発明の実施形態である無線オーディオシステムの構成図である。この無線オーディオシステムは、トランスミッタ１、レシーバ２、トランスミッタ１に接続される携帯オーディオプレーヤ３、および、レシーバ２に接続される据置型のアンプ付スピーカ４で構成される。トランスミッタ１は、携帯オーディオプレーヤ３から再生・入力されるオーディオ信号をデジタル化し、２．４ＧＨｚ帯の準マイクロ波に乗せて送信する。レシーバ２は、トランスミッタ１から送信される高周波信号を受信し、この高周波信号に重畳されているオーディオ信号をＤ／Ａ変換してアンプ付スピーカ４に入力する。デジタル化されたオーディオ信号は、トランスミッタ１からレシーバ２へ高速に単方向で送信され、コマンド等の制御信号は、トランスミッタ１、レシーバ２相互間で低速で双方向通信が行われる。
【００１７】
トランスミッタ１、レシーバ２ともに、２．４ＧＨｚ帯の通信チャンネルをスキャンして相手局をサーチする。相手局を発見すると、相互に認証を交換して通信の接続を確立させる。接続の確立とともにオーディオ信号の送受信が開始され、携帯オーディオプレーヤ３が再生したオーディオ信号が、アンプ付スピーカ４から放音される。トランスミッタ１またはレシーバ２の電源がオフされたり、トランスミッタ１が接続されたまま携帯オーディオプレーヤ３が持ち出されたりして、一方が他方を見失うと、通信確立の状態は解消される。
【００１８】
トランスミッタ１からレシーバ２へのオーディオ信号の送信は、高出力（ハイパワー）で送信するハイパワーモード、低出力（ローパワー）で送信するローパワーモードのいずれかに通信状態に応じて切り換えられる。すなわち、通信状態が良好でレシーバ２で通信エラーが生じないときはローパワーモードで行われ、通信状態が良くないときはハイパワーモードで行われる。なお、本発明において、オーディオ信号の送信出力モードはハイパワー／ローパワーの２段階に限定されない。
【００１９】
トランスミッタ１、レシーバ２相互間で通信の接続が確立した直後は、ハイパワーモードでオーディオ信号の送受信（通信）を開始するが、その後、試行によってローパワーモードでの通信が可能か否かを確認し、可能と判断された場合にローパワーモードに移行する。ローパワーモードで通信している場合でも通信エラーによるオーディオデータの欠落（オーディオエラー）が発生した場合にはハイパワーモードに復帰し、再度ローパワーモードへ移行が可能か試行する。このようなモードの遷移により、オーディオエラーによるノイズの発生を抑制しつつ、送信パワーを低く制御して他機器への影響を少なくしている。
【００２０】
図１において、トランスミッタ１は、携帯オーディオプレーヤ３が接続されるオーディオ入力部１０、携帯オーディオプレーヤ３から入力されたオーディオ信号をデジタル信号に変換するＡ／Ｄコンバータ１１、トランスミッタ１の動作を制御するコントローラ１２、準マイクロ波による通信を行う通信回路１３、ハイパワー用のアンテナ１５Ｈ、ローパワー用のアンテナ１５Ｌ、および、通信に使用するアンテナを切り換えるアンテナ切換器１４を備えている。
【００２１】
通信回路１３は、オーディオ信号を送信するとともに、コマンド等の制御信号を送信および受信する。コントローラ１２は、レシーバ２から送られてくるコマンドやオーディオエラーが発生した旨のエラー通知に基づいて、ハイパワーモード／ローパワーモードの切り換えを行う。ハイパワーモード／ローパワーモードの切り換えは、アンテナ切換器１４を制御してアンテナ１５Ｈ／１５Ｌを切り換えることによって行う。また、コントローラ１２には、後述するハイパワー固定モードを記憶するＨＰフラグ１２Ａが設定されている。
【００２２】
レシーバ２は、内蔵のアンテナ２４、準マイクロ波による通信を行う通信回路２０、レシーバ２の動作を制御するコントローラ２１、受信したデジタルのオーディオ信号をアナログ信号に変換するＤ／Ａコンバータ２２、および、アンプ付スピーカ４にオーディオ信号を出力するためのオーディオ出力部２３を有している。
【００２３】
通信回路２０は、トランスミッタ１が送信した高周波信号を受信してオーディオ信号、制御信号を復調するとともに、コントローラ２１から入力された制御信号で高周波信号を変調してトランスミッタ１に対して送信する。通信回路２０によってベースバンドのデジタル信号に復調されたオーディオ信号はＤ／Ａコンバータ２２に入力される。また、通信回路２０によって復調された制御信号はコントローラ２１に入力される。
【００２４】
Ｄ／Ａコンバータ２２は、入力されたデジタルのオーディオ信号をアナログのオーディオ信号に変換してオーディオ出力部２３からアンプ付スピーカ４に出力する。通信回路２０から入力されるオーディオ信号は、電波が弱い等の通信状態により欠落が生じる場合があるが、Ｄ／Ａコンバータ２２は、通信回路２０から入力されるオーディオ信号に欠落が生じたとき、その欠落区間を無音（振幅０）の信号としてＤ／Ａ変換する。そして、通信回路２０は、オーディオ信号に欠落が生じるオーディオエラーが発生したとき、その旨をコントローラ２１に通知する。
【００２５】
コントローラ２１は、Ｄ／Ａコンバータ２２からオーディオエラーが発生した旨の通知を受けると、これを制御信号としてトランスミッタ１に送信する。これにより、トランスミッタ１は受信側のレシーバ２でオーディオエラーが発生していることを認識することができる。レシーバ２のコントローラ２１にも、トランスミッタ１のコントローラ１２と同様に、後述するハイパワー固定モードを記憶するＨＰフラグ２１Ａが設定されている。
【００２６】
トランスミッタ１のコントローラ１２、レシーバ２のコントローラ２１の詳細な動作を、図２のモード遷移図、および、図３〜図５のフローチャートを参照して説明する。  
図２はトランスミッタ１におけるオーディオ信号の送信出力を制御するモードの遷移を示す図である。トランスミッタ１のコントローラ１２は、レシーバ２から受信する制御信号に応じてモード遷移させる。
【００２７】
トランスミッタ１は、レシーバ２と通信接続が確立したときハイパワーモードＭ１で動作を開始する。このハイパワーモードＭ１時にレシーバ２から試行要求のコマンドが送信されてくると、試行モードＭ２に移行する。試行要求コマンドは、ローパワーモードＭ３へ移行できるか否かの試行を要求するコマンドである。なお、接続確立時に既にトランスミッタ１のモードがハイパワー固定モード（Ｍ５：後述）に移行していたときは、レシーバ２からの試行要求は無視される。また、ハイパワーモードＭ１において、一定時間（たとえば２０分）が経過してもレシーバ２から試行要求のコマンドが送信されてこないときには条件違反としてハイパワー固定モードＭ５に移行する。
【００２８】
試行モードＭ２では、短時間の試行時間（たとえば０．５ｍｓ）だけ送信出力をローパワーに移行する試行を行い、レシーバ２でオーディオエラーが発生するか（レシーバ２からエラー通知が送られてくるか）を検査する。これを複数回（たとえば１０回）行い、オーディオエラーが発生しなかった場合には、通信状態が良好であるとしてローパワーモードＭ３に移行する。試行中にオーディオエラーが発生した場合には、試行を中止して待機モードＭ４に移行する。また、ローパワーモードＭ３は、ローパワーでオーディオ信号を送信するモードであるが、このモードで動作しているときにオーディオエラーが発生した場合は、送信出力をハイパワーに切り換えて待機モードＭ４に移行する。
【００２９】
なお、上記試行時間（０．５ｍｓ）は、音が途切れても人間の聴覚では聴取できない程度、且つ、レシーバ２のＤ／Ａコンバータ２２ではオーディオデータの欠落を認識できる程度の長さの時間であり、実際の聴感テスト等でカットアンドトライで決定すればよく、０．５ｍｓに限定されない。また、試行の回数は１０回に限定されない。
【００３０】
待機モードＭ４ではハイパワーでオーディオ信号を送信しつつ一定時間（たとえば１０秒）待機する。こののち、待機により通信状態が変化している可能性があるので再度試行モードＭ２に移行する。ただし、待機モードＭ４中にハイパワーで送信しているにもかかわらず一定以上のオーディオエラーが発生した場合には、ローパワーモードＭ３に移行するのは無理で再試行をしても無駄であると判断してハイパワー固定モードＭ５に移行する。エラー頻度が高くなるのは、たとえばトランスミッタ１（携帯オーディオプレーヤ３）が遠くに移動した場合、または、他の機器による妨害電波が発生している場合などである。なお、妨害電波が同じ２．４ＧＨｚ帯である場合、通信周波数の電波強度は強いため、通信状態が悪いにもかかわらずＲＳＳＩは低下しない。
【００３１】
モードがハイパワー固定モードＭ５に移行すると、ＨＰフラグ１２Ａがセットされる。また、レシーバ２にもハイパワー固定モードに移行した旨が通知される。レシーバ２のコントローラ２１は、この通知を受けたときＨＰフラグ２１Ａをセットする。これらＨＰフラグ１２Ａ，２１Ａは、それぞれトランスミッタ１、レシーバ２の電源がオフされるまでリセットされない。したがって、一旦ハイパワー固定モードに入ると、両方の電源が再投入されて通信接続が再度確立されるまで他のモードに移行することはない。
【００３２】
なお、上記のどのモード（たとえば試行モードＭ２、待機モードＭ４）が実行されているときであっても、モードに応じた送信出力によるオーディオ信号の送信、すなわち携帯オーディオプレーヤ３が再生するオーディオ信号のアンプ付スピーカ４による再生は継続して行われている。
【００３３】
図３は、レシーバ２のコントローラ２１の動作を示すフローチャートである。同図（Ａ）はトランスミッタ１と通信接続が確立したのちのモード監視動作を示す図である。図３（Ｂ）はオーディオエラーの監視動作を示すフローチャートである。
【００３４】
図３（Ａ）において、トランスミッタ１と通信接続が確立すると、まずＨＰフラグ２１Ａを確認する（Ｓ１）。ＨＰフラグ２１Ａがセットしている場合には（Ｓ１でＹＥＳ）、通信状態が不良でありハイパワー固定モードＭ５から移行する余地がないと考えられるため、何もしないでこのモード監視動作を終了する。ＨＰフラグ２１Ａがセットしていない場合には（Ｓ１でＮＯ）、トランスミッタ１に対してローパワーモードＭ３に移行できるかを試行するよう、試行要求コマンドを送信する（Ｓ２）。こののち、トランスミッタ１は、ハイパワー／ローパワーでオーディオ信号の送信を行いつつ、レシーバ２からのエラー通知の有無やその頻度に応じてモードを移行させる。
【００３５】
レシーバ２は、オーディオ信号を受信してこれを復調しつつ、トランスミッタ１からの通知を待機する（Ｓ３）。この状態でトランスミッタ１からハイパワー固定モードＭ５に移行した旨が通知されると（Ｓ３でＹＥＳ）、ＨＰフラグ２１Ａをセットしてこのモード監視動作を終了する。以後、電源が再投入されるまでこのモード監視動作は実行されない。
【００３６】
図３（Ｂ）はエラー監視動作を示すフローチャートである。この動作は一定時間ごと（たとえば１００ｍｓごと）に繰り返し実行される動作である。上記一定時間の間にＤ／Ａコンバータ２２からオーディオエラーの通知があったか否かを判断する（Ｓ５）。オーディオエラーの通知がない場合には（Ｓ５でＮＯ）、そのまま動作を終了する。オーディオエラーの通知があった場合には（Ｓ５でＹＥＳ）、その旨を示すエラー通知コマンドを編集してトランスミッタ（Ｔｘ）１に通知する（Ｓ６）。
【００３７】
図４、図５は、図２に示した各モードにおけるトランスミッタ１のコントローラ１２の動作を示すフローチャートである。図４（Ａ）は接続確立時のハイパワーモードＭ１における動作を示すフローチャートである。図４（Ｂ）はハイパワー固定モードＭ５における動作を示すフローチャートである。図５（Ａ）は試行モードＭ２における動作を示すフローチャートである。図５（Ｂ）はローパワーモードＭ３における動作を示すフローチャートである。図５（Ｃ）は待機モードＭ４における動作を示すフローチャートである。
【００３８】
図５（Ａ）において、ＨＰフラグ１２Ａがセットされていないときにレシーバ２と通信の接続が確立すると、このハイパワーモードＭ１の動作が実行される。まず、試行要求があるまで２０分間待機する（Ｓ１０、Ｓ１１）。レシーバ２から試行要求のコマンドを受信すると（Ｓ１０でＹＥＳ）、試行モードＭ２（図５（Ａ）の動作）へ移行する（Ｓ１２）。
【００３９】
一方、通信の接続が確立しているにもかかわらず２０分経過してもレシーバ２から試行要求が送信されてこない場合は（Ｓ１１でＹＥＳ）、ＨＰフラグ１２Ａセットして（Ｓ１３）、ハイパワー固定モードの動作（図４（Ｂ）の処理）に移行する（Ｓ１４）。これは、レシーバ２のＨＰフラグ２１Ａが既にセットされていると考えられるためである。すなわち、レシーバ２が、過去のトランスミッタ１がハイパワー固定モードＭ５に移行した通信からリセットされていない場合、レシーバ２はそのハイパワー固定モードＭ５への移行をＨＰフラグ２１Ａで記憶しており、試行モードへ移行するための試行要求を発行しないためである。
【００４０】
図５（Ａ）参照して試行モードＭ２時の動作を説明する。この動作では、０．５ｍ秒だけローパワーでオーディオ信号を送信する試行を１０回繰り返し、これでオーディオエラーの通知がなかった場合にローパワーモードＭ３に移行する処理を行う。まず、試行回数をカウントするカウンタｉに１をセットする（Ｓ２０）。つぎに０．５ｍｓだけ送信出力をローパワーに切り換え（Ｓ２１）、送信出力をハイパワーに戻して３秒待機する（Ｓ２２）。この間にレシーバ２からオーディオエラーの通知があったか判断し（Ｓ２３）、エラー通知があった場合には（Ｓ２３でＹＥＳ）、待機モードＭ４（図５（Ｃ）の動作）に移行する（Ｓ２６）。なお、Ｓ２２の待機時間は３秒に限定されない。エラー通知があるか否かを判断するための適当な時間を選択すればよい。
【００４１】
Ｓ２３においてエラー通知がなかった場合（Ｓ２３でＮＯ）には、試行回数が１０回であるかを確認し（Ｓ２４）、試行回数が１０回に満たない場合には（Ｓ２４でＮＯ）、試行回数のカウンタｉに１を加算して（Ｓ２５）、Ｓ２１以下の動作を繰り返す。Ｓ２４において試行回数が１０に到達していた場合（Ｓ２４でＹＥＳ）には、通信状態が良好であるとして、ローパワーモードＭ３（図５（Ｂ）の動作）に移行する（Ｓ２７）。
【００４２】
図５（Ｂ）を参照してローパワーモードＭ３の動作を説明する。ローパワーモードでは、まず、オーディオ信号の送信出力をローパワーに切り換える（Ｓ３１）、こののち、レシーバ２からオーディオエラーの通知があるまで（Ｓ３１）、ローパワーでの送信を継続する。レシーバ２からオーディオエラーの通知があると（Ｓ３１でＹＥＳ）、送信出力をハイパワーに切り換え（Ｓ３３）、待機モードＭ４へ移行する（Ｓ３４）。
【００４３】
図５（Ｃ）を参照して待機モードの動作を説明する。待機モードではハイパワーを１０秒間継続しつつ（Ｓ４０）、通信エラーの発生状態を監視する（Ｓ４１）。１０秒間通信エラーが一定以上発生しなければ（Ｓ４１でＮＯ）、再度試行モードＭ２に移行して（Ｓ４２）、ローパワーモードＭ３に移行可能かを試行する。
【００４４】
１０秒の間に、送信出力がハイパワーであるにもかかわらず一定以上のエラー通知があった場合には（Ｓ４１でＹＥＳ）、ローパワーモードＭ３へ移行できる可能性はないとしてハイパワー固定モードＭ５に移行する。この場合、まずＨＰフラグ２１Ａをセットし（Ｓ４３）、レシーバ２にハイパワー固定モードに移行する旨を通知し（Ｓ４４）、図４（Ｂ）に示すハイパワー固定モードの動作に移行する（Ｓ４５）。
【００４５】
次に、図４（Ｂ）を参照してハイパワー固定モードＭ５の動作を説明する。ハイパワー固定モードは、このトランスミッタ１の電源がオフされるまで抜けることがないモードである。レシーバ２から試行要求のコマンドが送られてきても（Ｓ１６でＹＥＳ）、これに対してハイパワー固定モードである旨の返信をして（Ｓ１７）、ハイパワーの状態を維持する。
【００４６】
以上の動作により、図２に示したモード遷移が実現される。  
なお、図３（Ａ）のＳ１で、ＨＰフラグ２１Ａが設定しているとき、その旨をトランスミッタ１に通知するようにしてもよい。このようにすれば、トランスミッタ１では、図４（Ａ）のＳ１１で２０分間待機せずにハイパワー固定モードＭ５に移行することができる。
【００４７】
上記実施形態のトランスミッタ１は、送信出力はハイパワー、ローパワーの２段階に切り換られる構成であるが、送信出力を３段階以上に切り換えられるようにしてもよい。この場合、送信出力の制御は、通信回路１３の出力を切り換えることによって行ってもよい。また、通信回路１３の出力切り換えとアンテナ１５の切り換えを併用してもよい。
【００４８】
また、送信出力が３段階以上に切換可能な場合のモード遷移は、図２のモード遷移図において、ローパワーモードＭ３を下のステージのハイパワーモードＭ１につなげ、ハイパワー固定モードＭ５を上のステージのハイパワーモードＭ１につなげればよい。たとえば、以下のようである。
【００４９】
すなわち、送信出力が高出力Ｈ，中出力Ｍ，低出力Ｌの３段階に切換可能な場合において、高出力Ｈ／中出力Ｍのモード遷移でローパワーモードＭ３（中出力Ｍ）で安定したとき、中出力Ｍ／低出力Ｌのモード遷移におけるハイパワーモードＭ１であるとして中出力Ｍ／低出力Ｌのモード遷移を開始する。また、中出力Ｍ／低出力Ｌのモード遷移でハイパワー固定モードＭ５（中出力Ｍ）で安定したとき、高出力Ｈ／中出力Ｍのモード遷移におけるハイパワーモードＭ１であるとして高出力Ｈ／中出力Ｍのモード遷移を開始する。
【００５０】
また、このモード切り換えは、常時行うのでなく、通信障害が発生しそうな場合、たとえば、携帯オーディオプレーヤ３として携帯電話やｗｉｆｉ通信機能を備えたものが接続されたとき行われるようにしてもよい。
【００５１】
また、この実施形態では、オーディオ信号を再生する装置を携帯オーディオプレーヤ１としているが、再生装置は携帯型の装置に限定されない。
【符号の説明】
【００５２】
１  トランスミッタ
１２  コントローラ
１２Ａ  ＨＰフラグ
２  レシーバ
２１  コントローラ
２１Ａ  ＨＰフラグ
【図１】
0005585415.tif 000002
【図２】
0005585415.tif 000003
【図３】
0005585415.tif 000004
【図４】
0005585415.tif 000005
【図５】
0005585415.tif 000006